(57)【特許請求の範囲】
【請求項１】
キッチンの上面開口部より落とし込まれ、キッチンの前面開口部に外郭外面前部をのぞませて設置された本体と、キッチン上面から前記本体を支えるトップユニット部と、前記トップユニット部の下方に設けられた加熱部と、前記本体の外郭外面前部に設けられた本体吸気口と、前記本体吸気口から前記本体外の空気を冷却風として吸気し、前記加熱部の出力を制御する制御基板へ前記冷却風を噴出して冷却するファンと、前記本体の外郭外面後方の上部又は後部に設け、前記制御基板を冷却した前記冷却風を排出する排気口と、前記本体吸気口と前記ファンのファン吸気口間に前記本体吸気口よりも高く前記本体吸気口から入った前記冷却風をぶつけて上昇させる防水壁を設け、前記防水壁の上方に前記防水壁と略直角に形成した返し面を設け、前記返し面に前記防水壁よりも後方で下向きに形成した落とし壁を設けた誘導加熱調理器。
【請求項２】
前記防水壁は前記ファンの吸気風速が速い前記ファン吸気口に近い箇所より前記ファンの吸気風速が遅い前記ファン吸気口より遠い箇所の高さを低くした請求項１に記載の誘導加熱調理器。
【請求項３】
前記防水壁の上端に吸気の略上流方向に向かって形成された返しリブを設けた請求項１に記載の誘導加熱調理器。
【請求項４】
前記本体吸気口上方の本体外郭外面に外向きの凸部を設け、前記凸部は前記ファン吸気口に近い側より遠い側の高さを低くした略山形の形状とし、前記本体吸気口上方の前記本体外郭外面を流れ伝う水を前記凸部に沿わせて誘導し、前記本体吸気口の左右にふりわけるようにした請求項１に記載の誘導加熱調理器。
【発明の詳細な説明】
【技術分野】
【０００１】
本発明は、誘導加熱調理器に関するものである。
【背景技術】
【０００２】
従来、この種の誘導加熱調理器は、図７に示すように、キッチン１に組み込んで使用する構成のものである。左右加熱コイル２が本体外郭３内に内設された構成において、冷却のための吸気口４を本体前面に、排気口５をトップユニット部６後方に設け、ファン７より外気を吸引し、略閉空間である冷却ケース内の制御基板８を冷却する構成されている（例えば、特許文献１参照）。
【特許文献１】特開２００１−０７６８５７号公報
【発明の開示】
【発明が解決しようとする課題】
【０００３】
しかしながら、前記従来の構成では、本体上面で加熱した鍋からのふきこぼれた煮汁や、鍋に入れようとしてこぼれた水がキッチン上面をつたわり、キッチン前から、本体の前面につたい本体吸気口に達した煮汁や水が、ファンの吸気により空気とともにファン吸気口にむけて吸い込まれて制御基板にむけて噴き出され、本体内の制御基板に水分が付着し、水分により基板内でショートをおこしてしまう課題を有していた。
【０００４】
本発明は、前記従来の課題を解決するもので、吸気口から水分を吸い込んでも本体内の制御基板にファンにより水分を吹き付けることがないようにし、機器の信頼性を向上させることができる誘導加熱調理器を提供することを目的とする。
【課題を解決するための手段】
【０００５】
前記従来の課題を解決するために、本発明の誘導加熱調理器は、本体吸気口とファン吸気口間に本体吸気口よりも高く本体吸気口から入った冷却風をぶつけて上昇させる防水壁を設け、防水壁の上方に防水壁と略直角に形成した返し面を設け、前記返し面に前記防水壁よりも後方で下向きに形成した落とし壁を設けたものである。
【０００６】
これによって、本体上面で加熱した鍋からのふきこぼれた煮汁や、鍋に入れようとしてこぼれた水がキッチン上面をつたわり、キッチン前から、本体の前面につたい本体吸気口に達した煮汁や水が、ファンの吸気により空気とともにファン吸気口にむけて吸い込まれた際、本体吸気口上面よりも高い防水壁に水があたり、空気は上方へ流れ、さらに、ここで分離できなかった細かいミスト状の水分を返し面に付着させ吸気することで、空気と水分を分離することができ、返し面に付着した水分がファンの吸気により吸い込まれるのを落とし壁により、水分の移動を妨げることができ、この吸い込んだ空気で冷却する制御基板に水分が付着することを防ぎ、水分により基板内でショートをおこすことがなく、機器の信頼性を向上することができる。
【発明の効果】
【０００７】
本発明の誘導加熱調理器は、吸気口から水分を吸い込んでも本体内の制御基板にファンにより水分を吹き付けることがないようにし、機器の信頼性を向上させることができる。
【発明を実施するための最良の形態】
【０００８】
第１の発明は、キッチンの上面開口部より落とし込まれ、キッチンの前面開口部に外郭外面前部をのぞませて設置された本体と、キッチン上面から前記本体を支えるトップユニット部と、前記トップユニット部の下方に設けられた加熱部と、前記本体の外郭外面前部に設けられた本体吸気口と、前記本体吸気口から前記本体外の空気を冷却風として吸気し、前記加熱部の出力を制御する制御基板へ前記冷却風を噴出して冷却するファンと、前記本体の外郭外面後方の上部又は後部に設け、前記制御基板を冷却した前記冷却風を排出する排気口と、前記本体吸気口と前記ファンのファン吸気口間に前記本体吸気口よりも高く前記本体吸気口から入った前記冷却風をぶつけて上昇させる防水壁を設け、前記防水壁の上方に前記防水壁と略直角に形成した返し面を設け、前記返し面に前記防水壁よりも後方で下向きに形成した落とし壁を設けることにより、本体上面で加熱した鍋からのふきこぼれた煮汁や、鍋に入れようとしてこぼれた水がキッチン上面をつたわり、キッチン前から、本体の前面につたい本体吸気口に達した煮汁や水が、ファンの吸気により空気とともにファン吸気口にむけて吸い込まれた際、本体吸気口上面よりも高い防水壁に水があたり、空気は上方へ流れ、さらに、ここで分離できなかった細かいミスト状の水分を返し面に付着させ吸気することで、空気と水分を分離することができ、返し面に付着した水分が移動してファンの吸気により吸い込まれるのを妨ぐことができ、この吸い込んだ空気で冷却する制御基板に水分が付着することを防ぎ、水分により基板内でショートをおこすことがなく、機器の信頼性を向上することができる。
【０００９】
第２の発明は、特に第１の発明の防水壁をファンの吸気風速が速いファン吸気口に近い箇所より前記ファンの吸気風速が遅い前記ファン吸気口より遠い箇所の高さを低くしたことにより、ファンの吸気口に近い箇所では吸気風速が速く水分をおおく吸い込むが、ファンの吸気口に遠いところでは吸気風速が遅く水分を吸い込む力は激減する。この違いを利用してファンの吸気口から遠いところでの防水壁の高さを低くすることができ、ファンが吸気する吸気断面積を防水壁がファン吸気口近傍の高さで一律に形成するよりは広くとることができ、吸気圧損を下げ、ファンが効率よく吸気するよう改善することができる。
【００１０】
第３の発明は、特に第１の発明の防水壁の上端に吸気の略上流方向に向かって形成された返しリブを設けたことにより、防水壁に付着した水分が防水壁先端から再びファン吸気口に向かって吸い込まれることを防ぎ、さらに防水性能を向上することができる。
【００１４】
第４の発明は、特に第１の発明の本体吸気口上方の本体外郭外面に外向きの凸部を設け、前記凸部は前記ファン吸気口に近い側より遠い側の高さを低くした略山形の形状とし、前記本体吸気口上方の前記本体外郭外面を流れ伝う水を前記凸部に沿わせて誘導し、前記本体吸気口の左右にふりわけるようにしたことにより、本体吸気口へ、水が流れ伝うのを略山形の形状に沿わせて誘導し、左右にふりわけ、本体吸気口へ水が入りにくくすることができる。
【００１７】
以下、本発明の実施の形態について、図面を参照しながら説明する。なお、本実施の形態によって本発明が限定されるものではない。
【００１８】
（実施の形態１）
図１は、本発明の第１の実施の形態における誘導加熱調理器の操作部を閉じた状態の断面図を示すものである。図２は、本発明の第１の実施の形態における誘導加熱調理器の操作部を開けた状態の断面図を示すものである。図３は、本発明の第１の実施の形態における誘導加熱調理器のキッチン組み込み外観斜視図を示すものである。図４は、本発明の第１の実施の形態における誘導加熱調理器の内部の構成を示す斜視図を示すものである。ここではシステムキッチンで説明するが、天面部及び前面部に必要な開口部を備えた調理器台でもよい。
【００１９】
図１から４において、外郭を構成する誘導加熱調理器の本体外郭１１は、キッチン１２の上面開口部から挿入設置されている。本体外郭１１上面には、本体外郭１１の上面を覆うとともに本体外郭１１をキッチンの上面開口部から挿入設置したときに本体外郭１１を支えるトップユニット部１３、本体外郭１１内のトップユニット部１３の下には、左側に左加熱コイル１４ａ、右側に右加熱コイル１４ｂが置かれている。また本体の左側で、左加熱コイル１４ａの下方にロースター１５が置かれている。ロースター１５の右側で、右加熱コイル１４ｂの下方には、左加熱コイル１４ａと右加熱コイル１４ｂに電流を供給し駆動制御する制御基板１６が配置され、制御基板１６の前側に近接して本体外郭内に冷却風を送り込むファン１７を、ファンの前側に加熱操作設定を行う操作部１８を配置している。
【００２０】
すなわち本体外郭１１の正面部には、左側に魚を焼くためのロースター１５、右側に操作部１８を有している。本体上面左後方に排気口１９を設けている。操作部は、最上部に配した操作用押しボタン部２０と、その操作用押しボタン部２０下方に設けたボタンの操作を検知し制御基板へ信号を伝送するスイッチを有する操作基板２１と、操作基板２１を支持する操作基板ベース２２により形成されている。この操作部は開閉により本体内に収納されたり、本体外方に露出されたりする形態で、その構成を内蔵された操作部を含む操作駆動ユニット２３と外方を形成する操作部ケース２４により形成している。操作駆動ユニットは、操作部と、操作基板ベースを左右下方にて支持する左右支持部２５と、操作基板ベースと左右支持部の前面を塞ぐ前面化粧板２６とで構成している。左右支持部の左右の下部とそれに対向した操作部ケースの側部にシャフト２７を通し、この部分を基点に開閉回動することにより、操作部が本体内に収納されたり、本体外方に露出されたりする。ファンは操作部ケースの奥に位置し、そのファンの奥に制御基板が配されている。ファン吸気口２８は操作ケース側で排気口は制御基板側となる。ファン吸気口には操作部ケース側すなわち本体吸気口側に向かって形成されたファン吸気口リブ２９を有している。そして、本体吸気口３０は操作部下方に設けられている。本実施の形態では本体吸気口を操作部下方で前面化粧部の下方に設けている。本体吸気口は操作部下方であればよく、前面化粧板の一部に穴を設けてもよい。
【００２１】
本体吸気口とファン吸気口間である操作ケース下面に本体吸気口よりも高い防水壁３１を設け、本体吸気口側の防水壁の下部の操作ケース下面に凹部３２を設け、凹部は本体左右方向にのびた形状としている。また、防水壁の上方に防水壁と略直角に形成した返し面３３と、返し面に防水壁よりも後方で下向きに形成した落とし壁３４を操作ケースの一部として形成している。
【００２２】
また、さらに、図５に示すように防水壁３１はファン吸気口に近い側より遠い側の方が
、高さが低い形状とし、防水壁の上端に本体吸気口側に向かって形成された返しリブ３５を設けている。
【００２３】
また、ここで、図６に示すように、本体吸気口上方の本体外郭外面である前面化粧板に外向きの凸部３６を設け、凸部はファン吸気口に近い側から遠い側に向かって略山形の形状としたものである。
【００２４】
以上のように構成された誘導加熱調理器について、以下動作、作用を説明する。
【００２５】
冷却ファンの冷却風の流れについて説明する。まず、冷却風は本体吸気口から外気が入り、操作ケース下面に設けられた防水壁にぶつかって上昇し、防水壁の上端の返しリブに当たって一度本体吸気口側へ折れ曲がり、操作ケースの上面である返し面に沿って流れ、さらに返し面につながる落とし壁により下方へ曲げられ、ファンの吸気口側へ吸い込まれる。このときファン吸気口リブに当たり部分的に空気の流れに屈曲がおきながらファンの吸気口へ吸い込まれる。吸い込まれた空気は、ファンによりスイッチング素子やダイオードブリッジといった発熱部品を有する制御基板へ噴出され、その後、右加熱コイルや左加熱コイルを経由しながら本体トップユニット後方に設けられた排気口へと流れ外へ排出される。
【００２６】
次に、ファンによって吸い込まれる水分の動きについて説明する。本体上面で加熱した鍋からのふきこぼれた煮汁や、鍋に入れようとしてこぼれた水がキッチン上面をつたわり、キッチン前から、閉じられた本体の前面の前面化粧板に設けられたファン吸気口に近い側から遠い側に向かって略山形の形状の外向きの凸部に沿って流れ、凸部を乗り越えた水分が本体吸気口に達し、ファンの吸気により空気とともにファン吸気口にむけて吸い込まれる。この際、まず本体吸気口から入った水分を含んだ空気は防水壁にあたり、防水壁下部の凹部へ落ち、凹部に沿って左右に分岐して貯水される。また、防水壁で衝突しなかった空気中の水分は、防水壁上部の返しリブに当たり防水壁を伝わり落ちる。さらにここでも捕集されなかった水分は返し面に付着し、さらに落とし壁による空気の流れの屈曲で遠心分離された水分を付着捕獲し、ファン吸気寸前の場所でファン吸気口リブにあたり、水分が付着し、蛇行しながら水分を分離した空気は最終的にファンに吸い込まれ、制御基板に向けて突出される。
【００２７】
また、操作部が開いた状態では、キッチン上面をつたわり、キッチン前から落ちてきた水分は、開いた操作部により邪魔され、左右や操作部前方へ分岐して流れる。この操作部を乗り越えて本体吸気口へ到達した水分は前記の流れにより同様に分離され、ファンに吸い込まれて、最終的にファンから制御基板へ排出される。
【００２８】
ここで、空気温度２０℃の比重量は、（３５３／（２７３＋２０））＝１．２ｋｇ／ｍ３であり、水の比重は１ｇ／ｃｍ３。質量ｍの物体が、半径ｒの円周上を角速度ωで回転していると、Ｆ＝ｍ  ｒ  ω  ２の遠心力が働くので、蛇行による遠心力により水分を遠心分離することができる。
【００２９】
このように、何度も蛇行させることで、空気中の水分を分離することが可能であるが、一方で、吸気圧損が大きくなり、制御基板の冷却に必要な冷却風量が確保できないこととなる。したがって、本実施の形態では、防水壁をファン吸気口に近い側より遠い側の方が、高さが低い形状としたことにより、ファンの吸気口に近い箇所では吸気風速が速く水分をおおく吸い込むが、ファンの吸気口に遠いところでは吸気風速が遅く水分を吸い込む力は激減する違いを利用してファンの吸気口から遠いところでの防水壁の高さを低くし、ファンが吸気する吸気断面積を防水壁がファン吸気口近傍の高さで一律に形成するよりは広くとることができ、吸気圧損を下げ、ファンが効率よく吸気するよう改善している。
【００３０】
以上のように本実施の形態においては、本体上面で加熱した鍋からのふきこぼれた煮汁や、鍋に入れようとしてこぼれた水がキッチン上面をつたわり、キッチン前から、本体の前面につたい本体吸気口に達した煮汁や水が、ファンの吸気により空気とともにファン吸気口にむけて吸い込まれた際、本体吸気口上面よりも高い防水壁に水があたり、空気は上方へ流れ、さらに、ここで分離できなかった細かいミスト状の水分を返し面に付着させ吸気することで、空気と水分を分離することができ、この吸い込んだ空気で冷却する制御基板に水分が付着することを防ぎ、水分により基板内でショートをおこすことがなく、機器の信頼性を向上することができる。
【００３１】
また、防水壁をファン吸気口に近い側より遠い側の方が、高さが低い形状としたことにより、ファンの吸気口に近い箇所では吸気風速が速く水分をおおく吸い込むが、ファンの吸気口に遠いところでは吸気風速が遅く水分を吸い込む力は激減する。この違いを利用してファンの吸気口から遠いところでの防水壁の高さを低くすることができ、ファンが吸気する吸気断面積を防水壁がファン吸気口近傍の高さで一律に形成するよりは広くとることができ、吸気圧損を下げ、ファンが効率よく吸気するよう改善することができる。
【００３２】
またさらに、防水壁の上端に本体吸気口側に向かって形成された返しリブを設けたことにより、防水壁に付着した水分が防水壁先端から再びファン吸気口に向かって吸い込まれることを防ぎ、さらに防水性能を向上することができる。
【００３３】
そしてさらに、返し面に防水壁よりも後方で下向きに形成した落とし壁を設けたことにより、返し面に付着した水分がファンの吸気により吸い込まれるのを落とし壁により、水分の移動を妨げることができる。
【００３４】
また、ファン吸気口に本体吸気口側に向かって形成されたファン吸気口リブを設けたことにより、ファン吸気口に吸い込まれる水分をファン吸気口リブにより直前で付着させ、ファン吸気口にすいこまれるのを防ぐことができる。
【００３５】
さらに、防水壁と本体吸気口の間で防水壁の下部に凹部を設け、凹部は本体左右方向にのびた構成とすることにより、防水壁の下部にたまった水は左右にのびた凹部に流れこみ、防水壁下部に堆積することを防ぎ、再びファン吸気口へすいこまれにくくすることができる。
【００３６】
またさらに、本体吸気口上方の本体外郭外面に外向きの凸部を設け、前記凸部はファン吸気口に近い側から遠い側に向かって略山形の形状としたことにより、本体吸気口へ、水が流れ伝うのを略山形の形状に沿わせて誘導し、左右にふりわけ、本体吸気口へ水が入りにくくすることができる。
【００３７】
そして、本体吸気口は操作部下方に設けた構成とすることにより、操作部で水が本体吸気口に伝わるまでに、邪魔になり、本体吸気口に水が浸入する可能性を低減できる。また、吸気時に操作部が吸気口より上にあることで、操作する指が吸気風により冷やされることを防ぎ、使い勝手を向上することができる。
【００３８】
さらに、操作部は本体外郭前面内部に収納され、操作時に本体外郭前方へ出てきて操作を行う構成としたことにより、本体外郭前方へ本体吸気口上方で飛び出した操作部が、上方からの水の流れに対して、屋根の役割をし、下方の本体吸気口への水の流れこみを防止することができる。
【産業上の利用可能性】
【００３９】
以上のように、本発明にかかる誘導加熱調理器は、前面からの吸気風へ含まれる水分の分離を可能とするものであり、家庭用、業務用に限らず組み込み型のあらゆる前面から冷却機能が必要な調理器に適用できる。
【図面の簡単な説明】
【００４０】
【図１】本発明の第１の実施の形態における誘導加熱調理器の操作部を閉じた状態の断面図
【図２】本発明の第１の実施の形態における誘導加熱調理器の操作部を開けた状態の断面図
【図３】本発明の第１の実施の形態における誘導加熱調理器のキッチン組み込み外観斜視図
【図４】本発明の第１の実施の形態における誘導加熱調理器の内部の構成を示す斜視図
【図５】本発明の第１の実施の形態における誘導加熱調理器の防水壁を示す概略図
【図６】本発明の第１の実施の形態における誘導加熱調理器のキッチン組み込み外観正面図
【図７】従来の誘導加熱調理器の内部の構成を示す断面図
【符号の説明】
【００４１】
１１  本体外郭
１２  キッチン
１３  トップユニット部
１４ａ  左加熱コイル
１４ｂ  右加熱コイル
１５  ロースター
１６  制御基板
１７  ファン
１８  操作部
１９  排気口
２０  操作用押しボタン部
２１  操作基板
２２  操作基板ベース
２３  操作駆動ユニット
２４  操作ケース
２５  左右支持部
２６  前面化粧板
２７  シャフト
２８  ファン吸気口
２９  ファン吸気口リブ
３０  本体吸気口
３１  防水壁
３２  凹部
３３  返し面
３４  落とし壁
３５  返しリブ
３６  凸部
【図１】
0005003597.tif 000002
【図２】
0005003597.tif 000003
【図３】
0005003597.tif 000004
【図４】
0005003597.tif 000005
【図５】
0005003597.tif 000006
【図６】
0005003597.tif 000007
【図７】
0005003597.tif 000008